【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】
到来するデータストリーム内の非ペイロードデータ要素を識別するために、信号を解析する方法であって、前記到来するデータストリームが、ペイロードデータストリームを含み、該ペイロードデータストリームは、該ペイロードデータストリームの先行する要素から、該ペイロードデータストリームの後続する要素が生成されるものであり、
(i)前記ペイロードデータストリームと比較するために、前記ペイロードデータストリームに対して所定の関係を有する比較データストリームを生成し、
(ii)前記到来するデータストリームと、前記比較データストリームとの間の不一致を検出し、
(iii)前記不一致が検出されるデータ要素に対して前記到来するデータストリーム内において所定の位置関係を有するデータ要素を、非ペイロードデータ要素として名目上識別し、
(iv)前記名目上識別された非ペイロードデータ要素が、非ペイロードデータ要素であるか否かを判定し、
(v)名目上識別された非ペイロードデータ要素が、非ペイロードデータ要素であることが決定されるまで、ステップ(ii)〜(iv)を繰り返すことからなる、方法。
【請求項２】
前記ペイロードデータストリームが、疑似ランダムバイナリシーケンスを含み、前記比較データストリームもまた疑似ランダムバイナリシーケンスを含むことからなる、請求項１に記載の方法。
【請求項３】
前記比較データストリームもまた、前記到来するデータストリームから導出される疑似ランダムバイナリシーケンスを含むことからなる、請求項２に記載の方法。
【請求項４】
前記名目上識別された非ペイロードデータ要素が非ペイロードデータ要素であるか否かを判定する前記ステップが、
(I) 前記名目上識別された非ペイロードデータ要素に対して前記データストリーム内の所定の位置関係において発生する少なくとも１つのデータ要素を選択し、且つ、前記到来するデータストリームからの前記少なくとも１つの前記選択されたデータ要素を処理することからなる、ステップと、
(II) 前記処理された到来するデータストリームを、前記比較データストリームと比較するステップ
とを含み、
前記処理された到来するデータストリームと、前記比較データストリームとの間の一致が、前記名目上識別された非ペイロードデータ要素が非ペイロードデータ要素であることを示すことからなる、請求項１に記載の方法。
【請求項５】
前記名目上識別された非ペイロードデータ要素が非ペイロードデータ要素であるか否かを判定する前記ステップが、
前記比較データストリームとは異なることが期待される前記到来するデータストリームの一部が、除去されるか又は無視されるように、前記到来するデータストリームを処理するステップと、
前記処理された到来するデータストリームを、前記比較データストリームと比較するステップであって、前記処理された到来するデータストリームと、前記比較データストリームとの間の一致が、前記名目上識別された非ペイロードデータ要素が、非ペイロードデータ要素であることを示すことからなる、ステップ
とを含むことからなる、請求項１に記載の方法。
【請求項６】
前記到来するデータストリームを処理する前記ステップが、前記名目上識別された非ペイロードデータ要素の取り出しか、反転か、又は置換を含むことからなる、請求項５に記載の方法。
【請求項７】
非ペイロードデータ要素として名目上識別された前記データ要素が、前記不一致が検出されるデータ要素であることからなる、請求項１に記載の方法。
【請求項８】
非ペイロードデータ要素として名目上識別された前記データ要素が、前記不一致が検出される前記データ要素とは別の所定数のデータ要素であることからなる、請求項１に記載の方法。
【請求項９】
前記非ペイロード要素として名目上識別された前記データ要素が、前記不一致が検出される前記データ要素から整数バイトだけ離間され、最も好ましくは１バイトだけ離間されることからなる、請求項６に記載の方法。
【請求項１０】
前記到来するデータストリームが、不一致に関する検知の前に、パラレルデータバスとして、最も好ましくは８ビット幅のバスとして構成されることからなる、請求項１に記載の方法。
【請求項１１】
識別される前記非ペイロードデータ要素が、フレーム指示要素か又は付加要素であることからなる、請求項１に記載の方法。
【請求項１２】
前記方法が、前記到来するデータストリームが適切に受信される開始時間を測定するための更なるステップを含むことからなる、請求項９に記載の方法。
【請求項１３】
前記名目上識別された非ペイロードデータ要素が、真の非ペイロードデータ要素に対応することが判定される時には、このことが、前記到来するデータストリームが、適切に受信されていることを示すことからなる、請求項１に記載の方法。
【請求項１４】
前記方法が、信号のフレーム化に使用され、前記フレーム化された信号がサービス中断測定において使用されることからなる、請求項１に記載の方法。
【請求項１５】
前記名目上識別された非ペイロードデータ要素が非ペイロードデータ要素であると判定された後でも、ステップ(ii)〜(iv)が反復されるように継続することからなる、請求項１に記載の方法。
【請求項１６】
前記名目上識別された非ペイロードデータ要素が非ペイロードデータ要素であると判定された後、前記到来する信号の前記ペイロードデータの解析によって前記到来する信号がエラーの無いものでは無いことが示されるまで、ステップ(ii)〜(iv)の反復が禁止されることからなる、請求項１に記載の方法。
【請求項１７】
到来するデータストリーム内の非ペイロードデータ要素を識別するために、信号を解析するための装置であって、該到来するデータストリームが、ペイロードデータストリームを含み、該ペイロードデータストリームは、該ペイロードデータストリームの先行する要素から、該ペイロードデータストリームの後続の要素が生成されるものであり、
前記ペイロードデータストリームに対して所定の関係を有する比較データストリームを生成するための生成器と、
前記到来するデータストリームと、前記比較データストリームとの間の不一致を検出するための第１の検出器と、
不一致が検出されることに応答してデータ要素に対して既知の所定の位置関係を有する前記到来するデータストリームの少なくとも１つの要素を処理するための処理手段であって、前記少なくとも１つのデータ要素が、名目上決定された非ペイロードデータ要素を含むことからなる、処理手段と、
前記名目上決定された非ペイロードデータ要素が、非ペイロードデータ要素であるか否かを判定するための第２の検出器と、
前記第２の検出器が、前記名目上判定された非ペイロードデータ要素が非ペイロードデータ要素では無いと判定する時には、エラーが検出される前記到来するデータストリームの異なるデータ要素に対して既知の位置関係を有する更なる少なくとも１つのデータ要素を処理するための前記処理手段をアクティブにするためのコントローラ
とを備えることからなる、装置。
【手続補正２】
【補正対象書類名】明細書
【補正対象項目名】００２４
【補正方法】変更
【補正の内容】
【００２４】
受信装置は、更に、識別された非ペイロードデータビットを信号から取り出す機能（図３のステップ(f)）を有するバレルシフタ45を有している。非ペイロードデータが取り出された入力データ（図４に符号46で示す）は、図３のステップ(g)を実行する第２の開ループＰＲＢＳ検出器47へと供給される。該第２の検出器47は、ペイロードデータの故意に反転したビットを修正する能力を有するものであり、これによりエラーの無いＰＲＢＳ48を出力することができる。
【手続補正３】
【補正対象書類名】明細書
【補正対象項目名】００３４
【補正方法】変更
【補正の内容】
【００３４】
図６は、ＤＳ３信号を解析する受信装置の実施例を示す回路図であり、図３の装置にほぼ対応するものである。データは並列に処理され、図６中の太線は該実施例における並行信号経路（８ビットバイトの処理用の８つの経路）を表している。この回路は、第１の検出器44A、バレルシフタ45A、第２の検出器47A、フレームカウンタ49A及びコントローラ50Aを有しており、それらは図４に示す同様の要素に対応している。